(57)【要約】  フォールバックメカニズムを用いるデジタルデータの再生が開示される。デジタルデータは、第１のモード及び少なくとも第２のモードにおいて再生可能であり、選択されたモードのオペラビリティが監視され、障害状況において、障害が検出されたモードとオペラブルなモードとの間で切換えがなされ得る。それゆえ、少なくとも何らかの機能性は確実なものとされる。装置が開示され、当該装置は、デジタルデータが第１のフォーマットでアクセスされる第１のモードでオペラブルであり、デジタルデータが少なくとも第２のフォーマットでアクセスされる少なくとも第２のモードでオペラブルである。また、システム、方法、コンピュータ可読コード及びデータストリームが開示される。
2008532197.tif 000002
【特許請求の範囲】
【請求項１】
デジタルデータを再生するための装置であって、当該装置は、前記デジタルデータが第１のフォーマットでアクセスされる第１のモードでオペラブルであり、当該装置は、前記デジタルデータが少なくとも第２のフォーマットでアクセスされる少なくとも第２のモードでオペラブルであり、前記第１のモード又は前記少なくとも第２のモードが選択可能であり、選択された前記モードの障害が検出された場合、オペラブルなモードへの切換えがなされ得ることを特徴とするデジタルデータを再生する装置。
【請求項２】
選択されたモードのオペラビリティが監視され、オペラブルなモードへの切換えが、前記選択されたモードの障害が検出された場合自動的になされることを特徴とする請求項１に記載の装置。  
【請求項３】
前記モードのうちの少なくとも１つのモードは、プログラマブルアプリケーションをサポートすることを特徴とする請求項１に記載の装置。
【請求項４】
前記モードのうちの少なくとも１つのモードは、ノンプログラマブルアプリケーションをサポートすることを特徴とする請求項１に記載の装置。
【請求項５】
前記デジタルデータは内的及び／又は外的にアクセス可能であることを特徴とする請求項１に記載の装置。
【請求項６】
第１のセッションにおいて、選択されたモードのオペラビリティが監視され、前記選択されたモードにおいて障害が検出された場合、障害特性がメモリに格納され、前記障害特性は、第２のセッションにおいて前記デジタルデータの再生に関して照会されることを特徴とする請求項１に記載の装置。
【請求項７】
前記第２のセッションにおける前記デジタルデータの再生が、障害が検出されたフォーマットの前記デジタルデータを他のフォーマットの対応しているデジタルデータと自動的に置き換えるように、前記障害特性は自動的に考慮されることを特徴とする請求項６に記載の装置。
【請求項８】
デジタルデータを再生するためのシステムであって、当該システムは、
デジタルデータを読み出すための読み出しセクションと、
前記デジタルデータを出力するための出力セクションと、
前記読み出しセクション及び前記出力セクションを制御するための制御セクションと、
を有し、前記制御セクションは、前記デジタルデータが第１のフォーマットである第１のモード及び前記デジタルデータが少なくとも第２のフォーマットである少なくとも第２のモードをサポートするようにオペラブルであり、前記制御セクションは、選択されたモードにおける前記デジタルデータの再生のオペラビリティを監視し、障害が前記選択されたモードにおいて検出された場合、オペラブルなモードへの切換えがなされ得ることを特徴とするシステム。  
【請求項９】
デジタルデータを再生するための方法であって、前記デジタルデータは、前記デジタルデータが第１のフォーマットである第１のモード及び前記デジタルデータが少なくとも第２のフォーマットである少なくとも第２のモードで再生可能であり、前記デジタルデータの再生は、選択されたモードにおける前記デジタルデータでなされ、選択されたモードにおける前記デジタルデータの再生のオペラビリティが監視され、障害が前記選択されたモードにおいて検出された場合、オペラブルなモードへの切換えがなされ得ることを特徴とする方法。
【請求項１０】
デジタルデータを再生するためのコンピュータ可読コードであって、前記デジタルデータは、前記デジタルデータが第１のフォーマットである第１のモード及び前記デジタルデータが少なくとも第２のフォーマットである少なくとも第２のモードで再生可能であり、前記デジタルデータの再生は、選択されたモードにおける前記デジタルデータでなされ、選択されたモードにおける前記デジタルデータの再生のオペラビリティが監視され、障害が前記選択されたモードにおいて検出された場合、オペラブルなモードへの切換えがなされ得ることを特徴とするコンピュータ可読コード。
【請求項１１】
デジタルデータを再生するためのデータストリームであって、当該データストリームは、該データストリームが第１のフォーマットのデジタルデータに準拠する第１のセクション、及び該データストリームが少なくとも第２のフォーマットのデジタルデータに準拠する少なくとも第２のセクションを有し、前記少なくとも第２のセクションにおける前記デジタルデータの再生コンテンツは、前記第１のセクションにおける前記デジタルデータの再生コンテンツに対応し、前記第１のフォーマットの前記デジタルデータの障害が存在する場合少なくとも１つの第２のセクションが当該データストリームに挿入されることを特徴とするデータストリーム。
【発明の詳細な説明】
【技術分野】
【０００１】
本発明は、デジタルデータ、とりわけ、第１のモード及び少なくとも第２のモードで再生され得るデジタルデータの再生に関する。
【背景技術】
【０００２】
デジタル媒体で利用できるデータ容量は、斯かる媒体の市場導入以降増加している。例えば、ＤＶＤディスクは、ＣＤディスクよりも大容量である。ＢＤ−ＲＯＭは、次世代の再生専用光ディスク標準規格であり、ＢＤディスクは、一層で少なくとも２５ＧＢの容量を得ることができるため、さらに大容量のメディアを提供する。
【０００３】
ＢＤ−ＲＯＭ媒体の論理フォーマットはディスクのアプリケーションを規定し、（物理フォーマット共々）この論理フォーマットを標準化する作業が現在行われている。ＢＤディスクの大容量は、単一ディスクに様々なアプリケーションが存在することを可能にする。主要なアプリケーションは、高解像度ＴＶ(HDTV)であることが予測されている。しかしながら、ウェブ接続(web-connectivity)及びゲーム等のインタラクティブアプリケーションも標準規格の一部になるかもしれない。
【０００４】
ＪＡＶＡは、インタラクティビティを可能にする技術であり、ＢＤプレーヤは、ディスクのオーディオ−ビジュアル（Ａ／Ｖ）再生を制御するため追加のアプリケーションプログラミングインタフェース(API)を備えるＪＡＶＡ仮想マシンを含むであろう。
【０００５】
ＢＤ−ＲＯＭに完全にプログラマブルなシステムを用いることにより、検証及びテストはより複雑になる。可能なアプリケーションは際限が無いが、斯かる複雑なプログラマブルプラットフォームのインプリメンテーション間の違いが大きく、あるアプリケーションは全ての装置で適切に機能しないかもしれない。アプリケーションがクラッシュした場合、当該プレーヤ上の当該ディスクを再生できなくなるかもしれない。
【０００６】
本発明の発明者は、２つ以上のフォーマットのデジタルデータを有する媒体からデータを再生するための改善された手段が有益であることを認識し、その結果、本発明をなした。
【発明の開示】
【発明が解決しようとする課題】
【０００７】
本発明は、改善されたデータ再生方式を提供することを求める。好ましくは、本発明は、１つ以上の上述した又は他の不利な点を単独又は如何なる組み合わせにおいても緩和し、軽減し又は取り除くことにある。
【課題を解決するための手段】
【０００８】
したがって、第１の態様では、デジタルデータを再生するための装置であって、当該装置は、前記デジタルデータが第１のフォーマットでアクセスされる第１のモードでオペラブルであり(operable)、当該装置は、前記デジタルデータが少なくとも第２のフォーマットでアクセスされる少なくとも第２のモードでオペラブルであり、前記第１のモード又は前記少なくとも第２のモードが選択可能であり、選択された前記モードの障害(failure)が検出された場合、オペラブルなモードへの切換えがなされ得ることを特徴とする装置が提供される。
【０００９】
デジタルデータを再生するための装置は、光ディスクプレーヤと同様の民生用電子スタンドアローンタイプの装置であってもよい。しかしながら、装置は、本発明の機能を該機能を備えていない装置に付加するためのアドオンモジュールであってもよい。装置は、デジタルデータがストレージディスクからアクセスされるＢＤ−ＲＯＭ媒体等の高容量媒体の再生に適するであろう。しかしながら、装置は、ハードディスクタイプの媒体、インターネットを介してアクセス可能なデータ、又は他の接続タイプのものから等、他のタイプの媒体からのデータアクセスをサポートしてもよい。装置は、第１のモード及び少なくとも第２のモードでオペラブルなものであってもよい。モードは、例えば、映画データへのアクセスを提供する機能セット、装置のユーザに映画を鑑賞させることに関する機能セット、ゲームへのアクセスを提供する機能セット、及びゲームを再生することに関する機能セットを提供するためのモードであってもよい。
【００１０】
２つ以上のモードのサポートは、これらモードのうちの１つのモードが作用しない恐れがあり、その結果としてディスク全体がオペラブルでなくなる恐れがあるという危険性をはらんでいる。しかしながら、少なくとも２つのモードの存在により、選択されたモードの障害が検出される状況において、オペラブルなモードへの切換えがなされ得るということが可能である。
【００１１】
障害が検出されているモードからオペラブルなモードへ切換えられることは、よりロバストで且つ安定したデジタルデータを再生するための装置が提供されるので有利である。現代の電子装置は、それら電子装置がクラッシュし、時々オペラブルでなくなるという事実をはらんでおり、フォールバックメカニズム、すなわち、障害状況において少なくとも何らかの機能性を確実なものとするメカニズムを組み込むことにより、誤動作(malfunction)又は稼動しない(idleness)という不都合が最小に抑えられ、ましては回避される。
【００１２】
請求項２に規定されるオプションの特徴は、オペラブルなモードへ自動的に切換えることにより、装置のユーザが障害の発生により悩まされる必要が無いという利点がある。
【００１３】
請求項３に規定されるオプションの特徴は、プログラマブルアプリケーションをサポートすることにより、ほとんど数限りない機能性が提供され得るという利点がある。
【００１４】
請求項４に規定されるオプションの特徴は、より安定した装置が提供され得るという利点がある。プログラマブルアプリケーションは、多様な機能性について大きな可能性を提供するが、大掛かり且つ複雑な検証及びテストを要する。プログラマブルアプリケーションの障害は、ノンプログラマブルアプリケーションの障害よりもかなり起こりやすい。
【００１５】
請求項３及び請求項４の両方の特徴をサポートする装置を提供することが有利であるかもしれない。
【００１６】
請求項５に規定されるオプションの特徴は、データにアクセスするさまざまな異なる方法をサポートできるため汎用性のある装置が提供されるという利点がある。
【００１７】
請求項６に規定されるオプションの特徴は、より高機能な装置、それゆえ、よりユーザフレンドリな装置が提供され得るという利点がある。障害特性（failure characteristic）を記憶することにより、第１のセッションで検出された障害からの不都合が、第２のセッションにおいて最小に抑えられ、ましては回避され得る。
【００１８】
請求項７に規定されるオプションの特徴は、ユーザが、既知の障害、すなわち、過去のセッションにおいて検出された障害に関する不都合を体験しないことを確実なものとし得る利点がある。
【００１９】
本発明の第２の態様によれば、デジタルデータを再生するためのシステムであって、当該システムは、
デジタルデータを読み出すための読み出しセクションと、
前記デジタルデータを出力するための出力セクションと、
前記読み出しセクション及び前記出力セクションを制御するための制御セクションと、
を有し、前記制御セクションは、前記デジタルデータが第１のフォーマットである第１のモード及び前記デジタルデータが少なくとも第２のフォーマットである少なくとも第２のモードをサポートするようにオペラブルであり、前記制御セクションは、選択されたモードにおける前記デジタルデータの再生のオペラビリティを監視し、障害が前記選択されたモードにおいて検出された場合、オペラブルなモードへの切換えがなされ得ることを特徴とするシステムが提供される。
【００２０】
読み出しセクションは、ディスクを読み出すための関連手段を備えるディスクトレイ、ケーブルを挿入するためのスロット、無線受信機等、データ源からシステムにデータを提供するためのいかなるタイプの手段であってもよい。出力セクションは、典型的には、データが見られ得る装置にデータが提供され得るようにするセクションであり、例えば、データをスクリーンに提供するセクションであってもよい。制御セクションは、典型的には、ソフトウェア、ファームウェア又はハードウェアによりインプリメントされる処理手段であってもよい。処理手段は、汎用処理手段の一部又は専用処理手段であってもよい。
【００２１】
第３の態様によれば、本発明の第１及び／又は第２の態様にしたがって提供される、デジタルデータを再生するための方法が提供される。
【００２２】
第４の態様によれば、本発明の第３の態様をインプリメントすることにしたがって提供される、デジタルデータを再生するためのコンピュータ可読コードが提供される。
【００２３】
第５の態様によれば、デジタルデータを再生するためのデータストリームであって、当該データストリームは、該データストリームが第１のフォーマットのデジタルデータに準拠する第１のセクション、及び該データストリームが少なくとも第２のフォーマットのデジタルデータに準拠する少なくとも第２のセクションを有し、前記少なくとも第２のセクションにおける前記デジタルデータの再生コンテンツは、前記第１のセクションにおける前記デジタルデータの再生コンテンツに対応し、前記第１のフォーマットの前記デジタルデータの障害が存在する場合少なくとも１つの第２のセクションが当該データストリームに挿入されることを特徴とするデータストリームが提供される。
【００２４】
データストリームは、第１及び第２のフォーマットのデジタルデータから構築されてもよい。データストリームは、第１及び第２のフォーマットのデジタルデータに基づきリアルタイムで構築されてもよい。本発明の第１の態様による装置又は本発明の第２の態様によるシステムにおける処理手段が、メモリに記憶された障害特性に基づいて、ユーザが選択されたデジタルデータの連続且つ滑らかな再生を体験するようにデータストリームを構築してもよい。
【００２５】
一般に、本発明の種々の態様は、本発明の範囲内でできる限り組み合わされ、結合されてもよい。
【００２６】
本発明のこれらの及び他の態様、特徴及び／又は利点は、以下の記載の実施例を参照して明らかになるであろう。
【発明を実施するための最良の形態】
【００２７】
本発明の実施例を、単に一例として、図面を参照して述べる。
【００２８】
本発明は、ＢＤ−ＲＯＭ媒体の再生に関して用いられてもよい。以下に述べられる実施例において、装置（即ちプレーヤ）は、媒体からデジタルデータを読み出し、該デジタルデータは、一人以上のユーザが該データを見られるように再生される。典型的な使用状況では、デジタルデータはＢＤ−ＲＯＭ媒体に存する。しかしながら、データは、他の手段により装置に提供されてもよい。データは、例えばＢＤ−ＲＯＭ又は他の記憶媒体等の内部供給源から内的に提供されてもよい。他の記憶媒体は、携帯型ハードディスク、又は他のタイプの磁気及び／若しくは半導体記憶媒体を含んでもよい。しかしながら、データは、外部供給源から、例えばインターネット、イントラネット、又は外部コンピュータ、外部記憶手段等への有線又は無線接続を介して外的に提供されてもよい。しかしながら、本実施例は、例示のためだけに述べられるものであり、本発明の範囲を限定するものとしてみなされるべきではない。本発明は、いかなる適した装置のインプリメンテーションに関して用いられてもよい。
【００２９】
本発明が適用され得る概念的論理フォーマット(conceptual logical format)の実施例が、図１に示されている。しかしながら、この概念的論理フォーマットは、例示のためだけに示されるものであり、本発明の範囲を限定するものとしてみなされるべきではない。本発明は、いかなる適した概念的論理フォーマットに関して用いられてもよい。
【００３０】
デジタルデータＤ１、Ｄ２は、第１のフォーマットＤ１及び少なくとも第２のフォーマットＤ２で存在し得る。以下では、２つのフォーマットの状況しか説明されないが、３つ以上のフォーマットが存在してもよいことに留意されたい。デジタルデータは、映画フォーマットＤ１、例えば、高解像度ＴＶ(HDTV)に関して用いられるフォーマット、及びデジタルＡＶデータフォーマットＤ２、例えば、ＭＰＥＧフォーマット、ＤｉｖＸフォーマット若しくは他の標準デジタル映画フォーマット、ＪＡＶＡアプリケーションフォーマット等のアプリケーションフォーマット又はいかなるタイプのアプリケーションフォーマットで存在してもよい。制御システムＣ１、Ｃ２は、これら２つのフォーマットの再現（再生）に関連付けられている。第１の制御システムＣ１は、システムが第１のモードでオペラブルである場合に用いられる。第２の制御システムは、システムが第２のモードでオペラブルである場合に用いられる。第１のモードは、ノンプログラマブルモードであってもよく、以下映画モードと称され、映画の再生、単純なアニメーション及びメニューグラフィックに向けて設計されてもよい。第２のモードは、プログラマブルモードであってもよく、以下エンハンスド又はフルモードと称され、再生装置（プレーヤ）がディスクのＡ／Ｖ再生を制御するため追加のＡＰＩを備えるＪＡＶＡ仮想マシンを有している場合のＪＡＶＡアプリケーション等、プログラマブルアプリケーションに向けて設計されてもよい。論理フォーマットは、複数のアプリケーションをサポートし、図１は、５つのアプリケーションを示している。アプリケーションの組の例は、ＪＡＶＡゲーム１、ＪＡＶＡエデュテインメント２、電子出版物へのアクセス３、ウェブアクセス４及び高解像度(HD)映画再生５であってもよい。第１のモードは、映画再生５だけへのアクセスを提供してもよい（映画モード）。この場合、第１のフォーマットの映画データが、映画モードをサポートする装置により再生される。第２のモードは、全てのアプリケーションへのアクセスを提供してもよい(フルモード)。この場合、複数のアプリケーション用のアプリケーションデータが、第２のフォーマットで記憶され、種々のアプリケーションが、フルモードをサポートする装置により再生され得る。単一の装置が、第１及び第２の両方のモードをサポートしてもよい。
【００３１】
前記２つのモードを有するシステムは、ＢＤ規格を市場に導入することに関して想定されている。第１世代のＢＤ−ＲＯＭプレーヤは、規格(v1.0)の映画モードパートしかサポートしないかもしれない（当該プレーヤは、２００５年に市場に出ることが予想される）。ＪＡＶＡ及び映画モードの両方をサポートするフルモードプレーヤ(v1.1)は、より遅くに市場に出ることが予想される。
【００３２】
プログラマブルモードであるv1.1のＪＡＶＡモードをサポートするシステムについて、斯かるモードを実行するアプリケーションがクラッシュする恐れがあることが予想できる。現代のコンピュータアプリケーションにおける経験上、多くの理由でアプリケーションはクラッシュする。他方、事前記録されたデジタルデータの再生はより安定している。それゆえ、ＪＡＶＡアプリケーションがクラッシュした状況において、映画モードへの切換えがなされ得る。このことが、本発明の使用状況を述べるいくつかの実施例に関し以下でさらに詳述される。
【００３３】
同一媒体に対して２つのモードをシステムにサポートさせることは、プレーヤが、例えばユーザの対話(user interaction)の結果として、これら２つのモード間で切換えを行えるように、該プレーヤに切換えメカニズムを要求する。
【００３４】
以下では、v1.0モード（映画モード）及びv1.1モード(フルモード)の両方をサポートする装置、即ち、プレーヤが述べられる。図２は、映画モードで用いられるべきインデックステーブルを概略的に示す。図３及び図４は、フルモードで用いられるべきインデックステーブルの２つの例を示す。
【００３５】
第１フォーマット及び第２フォーマットのデータを有する媒体は、データの再生に関して用いられるインデックステーブルを含むこともできる。インデックステーブルは、ディスクに置かれるファイルであり、該ディスク上のタイトル及びこれらタイトルに関するアプリケーションのリストを保持する。少なくとも２つのインデックステーブル（１つは映画モードに関し、少なくとも１つはフルモードに関する）が存在してもよい。エントリが第１のフォーマットのデータにしか関連しない、映画モードに関するインデックステーブルが、図２に示されている。エントリが第１のフォーマットのデータ及び第２のフォーマットのデータの両方に関連する、フルモードに関するインデックステーブルの第１の例が、図３に示されている。エントリが第２のフォーマットのデータにしか関連しない、フルモードに関するインデックステーブルの第２の例が、図４に示されている。プレーヤのセッティングにより、どのインデックステーブルを新規媒体の最初の使用に関して用いるか決めてもよい。
【００３６】
本実施例では、媒体に映画のデータが設けられている。媒体は、例として、２つのバージョンの映画（例えば劇場版とディレクターズカット版）を有する。これら２つのバージョンは、両方とも第１のフォーマット、例えば、当該映画のＨＤ映画フォーマット、及び第２のフォーマット、例えば、当該映画のＭＰＥＧバージョンで存在する。さらに、２つのバージョンのイントロダクション（１つは第１のフォーマットであり、１つは第２のフォーマットである）が設けられている。さらに、映画に関連するゲームが設けられている。このゲームは、第２のフォーマットでのみ設けられている。なぜなら、プログラマブルモードが再生されることを要求するからである。
【００３７】
図２に示される映画モードのインデックステーブル２０は、再生のために選択され得る２つの映画タイトルＴ１、Ｔ２を含む。タイトルは、いわゆる映画オブジェクトＭ２、Ｍ３を実行することにより再生される。映画オブジェクトは、いくつかのアセンブリ言語タイプのコマンドを持つ単純なスクリプトである。プレーヤは、要求に応じて、例えば、ユーザがディスクをプレーヤに挿入した場合、又は他の手段がデータをプレーヤに供給することにより、インデックスファイルを読み出す。図２に示されるインデックステーブルは、４つのエントリ、即ち、２つのタイトルＴ１、Ｔ２の他、プレーヤが開始すべき最初のアイテムを選択するファーストプレイ(first play)ＦＰ、及び全体的なユーザフレーム又は媒体へのユーザインタフェースを提供するトップ又はメインメニューＭを持つ。タイトルに関連付けられた映画が終了した場合、プレーヤは自動的にメインメニューの実行を再開してもよい。
【００３８】
フルモードプレーヤは、Ｘｌｅｔとも称されるＪＡＶＡアプリケーションを実行することが可能なＪＡＶＡ仮想マシンを具備する。図３に示されるインデックステーブル３０は、第１のフォーマットの映画オブジェクトＭ２、Ｍ３にリンクするエントリＴ１、Ｔ２、及び第２のフォーマットのＸｌｅｔＸ１、Ｉ１にリンクするエントリＦＰ、Ｔ３を含む。ここで、インデックステーブルは、同一のディスクについて、図２のものに単にインタラクティブなＪＡＶＡ部分も備えたものである。第３のエントリＴ３は、ＸｌｅｔＩ１にリンクするインタラクティブタイトルである。図３に示されるインデックステーブルは、第１のフォーマットの映画オブジェクトの再生をサポートするが、他の機能性、すなわち、映画に関連付けられるゲーム等のインタラクティブオブジェクトもサポートされる。図４に示されるインデックステーブル４０は、ＸｌｅｔＸ１、Ｘ２、Ｘ３、Ｘ４にリンクするエントリしか含まない。
【００３９】
Ｘｌｅｔの障害が実行中に検出される状況においては、プレーヤのアプリケーションマネージャが、障害特性、すなわち、障害直前のＸｌｅｔの状態についての関連情報が記録されるようにする。障害特性は、タイトルの再生位置等の情報を含んでもよい。特定の実施例においては、障害の対処(failure handling)が、関連コマンドを呼び出すことによりなされてもよい。例えば、ポーズコマンドが、Ｘｌｅｔ(ポーズＸｌｅｔ)に呼び出されてもよい。ポーズＸｌｅｔコマンドによって、確実に関連情報が記録されてもよい。次いで、v1.0のインデックステーブルにおける同一タイトルのレジュームコマンドが呼び出されてもよい。これは、ＪＡＶＡアプリケーションに代わり、映画モードアプリケーションが開始されることを意味する。レジューム動作及びバックアップレジスタに格納された障害特性を用いることにより、映画モードアプリケーションは、ＪＡＶＡアプリケーションの障害が検出された位置と同一の位置で再生を開始することができる。
【００４０】
映画Ｔ２がＸｌｅｔＸ３によって再生される例が、図４に示されている。しかしながら、Ｘｌｅｔは、映画の中盤で、例えば参照数字４１により参照されるビデオセグメントにおいてクラッシュしている。プレーヤは、現在の再生値(playback value)をバックアップレジスタに記憶する。次いで、プレーヤは、バックアップレジスタに記憶された値を用いて、図２に示される対応しているv1.0のインデックステーブルを用いて同一のタイトルＭ３を呼び出す。結果として、再生が、Ｘｌｅｔがクラッシュしているロケーションと同一のロケーション２１から再開される。障害が発生した選択されているフルモードからオペラブルな映画モードへの切換えは自動的になされてもよい。再生は、ユーザが切換えに気付くことなく継続してもよく、又はユーザが極短時間のポーズに気付くように継続してもよい。
【００４１】
ファーストプレイオブジェクトＦＰがメインメニューＭをポイントしているＸｌｅｔＸ１について障害が検出される状況においては、対応している映画モードにおける対応しているファーストプレイ映画オブジェクトＭ１が実行されてもよい。映画モードに対応するものがないＸｌｅｔについて、例えば、ゲームＩ１について障害が検出される別の状況においては、ファーストプレイオブジェクトＸ１が実行されてもよく、当該Ｘｌｅｔに関連する機能性は取り除かれてもよい。
【００４２】
ディスクが２度目に用いられる場合にタイトルが再びクラッシュするのを防止するため、プレーヤは、新規のv1.1のインデックステーブルを生成してもよい。このインデックステーブルは、メモリ、例えば、プレーヤのローカル永続記憶域(local persistent storage)に格納され得る。更新されたインデックステーブルが図５に示されている。この図では、クラッシュしたＸｌｅｔＸ３が、対応しているv1.0のインデックステーブルにおける対応している映画オブジェクトＭ３への参照に置き換えられている。次にディスクがプレーヤで再生される場合、更新されたインデックステーブルが用いられ、斯くして、タイトルは永続的に"修復される"。このように、第１セッションで障害が検出されたデータの再生が、第２のフォーマットのデジタルデータを第１のフォーマットのデジタルデータに置き換えることにより第２セッションで可能となるように、障害特性は考慮される。セッションは、使用状況、すなわち、映画を鑑賞するセッションである。
【００４３】
本発明による装置は、民生用電子タイプの装置であってもよい。しかしながら、本発明は、適宜のやり方で本発明の機能性を提供しうるモジュールのシステムであってもよい。
【００４４】
本発明の少なくともいくつかの態様が図６に概略的に示されている。デジタルデータは、少なくとも２つのフォーマットＤ１、Ｄ２でアクセスされ得る。どのフォーマットを再生するか選択し、そして、再生モードを選択するための選択がなされる（６２）。再生モードは、選択されたモードのオペラビリティを確実なものにするため監視され（６１）、障害が検出される場合（６３）、オペラブルなモードへの切換えがなされる。それにより、再生用のデータの出力（６４）が、選択された再生モードの障害にかかわらず確実に行われる。
【００４５】
本発明が好ましい実施例に関して述べられたが、本発明は、本願明細書に述べられた特定の形態に限定されるものではない。むしろ、本発明の範囲は、添付請求項によってのみ定められる。
【００４６】
本節では、データフォーマット、アプリケーションタイプ等、開示された実施例のある具体的な詳細が、限定ではなく例示を目的として、本発明の明瞭且つ完全な理解を与えるために述べられている。しかしながら、本発明は、本願明細書に述べられた詳細に正確に合致しない他の実施例においても、本開示の精神及び範囲を大幅に逸脱することなく実施され得ることを当業者は容易に理解するはずである。さらに、これに関連して、且つ簡潔さ及び明瞭さを目的として、よく知られた装置、回路及び方法の詳細な説明は、不必要な詳細及び起こりうる困惑を避けるために省かれている。
【００４７】
請求項内に含まれる参照符号は、明瞭さのみを目的としたものであり、請求項の範囲を限定するものと解釈されるべきではない。
【図面の簡単な説明】
【００４８】
【図１】図１は、概念的論理フォーマットの実施例を示す。
【図２】図２は、映画モードインデックステーブルを概略的に示す。
【図３】図３は、フルモードインデックステーブルの第１の例を概略的に示す。
【図４】図４は、フルモードインデックステーブルの第２の例を概略的に示す。
【図５】図５は、更新されたフルモードインデックステーブルを概略的に示す。
【図６】図６は、本発明の実施例のフロー図を概略的に示す。
【図１】
2008532197.tif 000003
【図２】
2008532197.tif 000004
【図３】
2008532197.tif 000005
【図４】
2008532197.tif 000006
【図５】
2008532197.tif 000007
【図６】
2008532197.tif 000008
【国際調査報告】
2008532197.tif 000009
2008532197.tif 000010
2008532197.tif 000011